(57)【特許請求の範囲】
【請求項１】
レンズ鏡筒内に配置され、撮影開口部が形成された第１の支持部材と、レンズ保持枠の外周との間にすき間を有する第２の支持部材とを撮影光軸前後に有し、撮影光軸方向に前後動する遮光装置であって、遮光性及び伸縮力を有し前記第１の支持部材と前記第２の支持部材それぞれの外径より小さい内径の遮光部材が当該伸縮力により前記第１、第２の支持部材の外周に保持されるよう設けられていることを特徴とする遮光装置。
【請求項２】
該遮光部材は中空円筒状であることを特徴とする請求項１記載の遮光装置。
【請求項３】
該第１の支持部材と第２の支持部材のいずれか一方、または該第１の支持部材と第２の支持部材の外周全周に凹部を設け、該凹部に挿入される凸部を該遮光部材の内周全周に設けることを特徴とする請求項１記載の遮光装置。
【発明の詳細な説明】
【０００１】
【発明の属する技術分野】
本発明は、レンズ鏡筒内に配置され、撮影開口部が形成された第１の支持部材と、レンズ保持枠の外周とすき間を有する第２の支持部材とを有する撮影光軸方向に前後動する遮光装置に関するものである。
【０００２】
【従来の技術】
従来、図１０に示すようにレンズ鏡筒内に配置されたシャッタ・フォーカスユニット１の支持地板２の撮影開口部２ａとレンズ保持枠３の外周とのすき間から侵入し、該支持地板２とシャッタ地板４とのすき間を通過し、シャッタ・フォーカスユニット１の外周と鏡筒カバー５とのすき間を通過し、２群レンズ保持枠６の外周と第２直進筒７とのすき間を通過し、不図示のカメラ本体のフイルム面８に到達する光線Ｒの遮光は、第１の遮光構造としてシャッタ・フォーカスユニット１の支持地板２あるいはシャッタ地板４のいずれか一方、または支持地板２とシャッタ地板４から撮影光軸方向に延びるリブを外周全周に形成することで、支持地板２の撮影開口部２ａとレンズ保持枠３の外周とのすき間から侵入する光線の遮光を行っていた。
また、第２の遮光構造として、図１１及び図１２に示すようにシャッタ・フォーカスユニット１の外周に遮光シート９、１０を固定することで、支持地板２の撮影開口部２ａとレンズ保持枠３の外周とのすき間から侵入する光線の遮光を行っていた。
【０００３】
【発明が解決しようとする課題】
ところで、前述従来例では第１の遮光構造の場合、撮影光軸方向に延びるリブを外周全周に形成するため、レンズ鏡筒径が大型化してしまうという問題があった。
また、第２の遮光構造の場合、遮光シート９，１０を接着剤で固定すると、遮光シート９，１０の端面部まで確実に固定することが困難である。さらに、遮光シート９，１０の貼り付けによる接着剤のはみ出しや、遮光シート９，１０の端面部が確実に固定されていないと、組込み途中に遮光シート９，１０端面部が外周方向に曲がってしまい、ズーム作動中に第２直進筒７の先端部７ａが遮光シート９，１０の折れ曲がった部分に引っ掛かってしまいズーム作動不良が発生する。さらに、ズーミングの繰り返しにより、遮光シート９，１０の折り曲がった部分から剥れてしまうことから、支持地板２の撮影開口部２ａとレンズ保持枠３の外周とのすき間から侵入する光線を確実に遮光することができないという問題があった。
【０００４】
また、遮光シート９，１０を両面テープで固定すると、レンズ保持枠３の腕部３ａの外周が両面テープに付いてしまい、レンズ保持枠３が撮影光軸方向に進退移動できなくなるといったフォーカス作動不良が発生するという問題があった。
【０００５】
本発明は、前述従来例の問題点に鑑み、レンズ鏡筒径を大型化させることなく、侵入した光線を確実に遮光することができる撮影開口部が形成された第１の支持部材と、レンズ保持枠の外周とすき間を有する第２の支持部材とを有する遮光装置を提供することを第１の目的とする。
【０００６】
【課題を解決するための手段】
前述の目的を達成するために、本発明はレンズ鏡筒内にて撮影光軸方向に前後動する遮光装置の第１、第２の支持部材間の外周に伸縮自在な遮光部材を設けたものである。
【０００７】
【発明の実施の態様】
請求項１に示す本発明は、レンズ鏡筒内に配置され、撮影開口部が形成された第１の支持部材と、レンズ保持枠の外周との間にすき間を有する第２の支持部材とを撮影光軸前後に有し、撮影光軸方向に前後動する遮光装置であって、遮光性及び伸縮力を有し前記第１の支持部材と前記第２の支持部材それぞれの外径より小さい内径の遮光部材が当該伸縮力により前記第１、第２の支持部材の外周に保持されるよう設けられていることにより、レンズ鏡筒径を大型化させることなく、侵入した光線を遮光できる、侵入した砂、ゴミ等の小さな異物がレンズ鏡筒ユニット内及びカメラ本体内部に侵入することを防止できる。
【０００９】
【実施例】
以下、本発明の第１実施例を図１ないし図６に基づいて説明する。
図１は本実施例のシャッタ・フォーカスユニットの構成を示す分解斜視図、図２はシャッタ・フォーカスユニットの遮光構成を示す分解斜視図、図３は遮光ゴム筒が組み込まれた状態を示すシャッタ・フォーカスユニットの斜視図、図４は同じくその断面図、図５はシャッタ・フォーカスユニットが組み込まれた状態の第１の２群構成のレンズ鏡筒の断面図、図６は同じく第２の４群構成のレンズ鏡筒の断面図である。
まず、図１を用いてシャッタ・フォーカスユニットの構成について説明する。
同図において、１１はシャッタ・フォーカスユニットである。１２はシャッタユニットで、撮影開口部１３ａが形成されたシャッタ地板１３（第１の支持部材）と、該シャッタ地板１３の後方に配置されたシャッタ羽根１４と、該シャッタ地板１３の前方に配置されたシャッタ羽根駆動のためのアクチュエータ１５とで構成されている。
１６は後記するモータ２６の駆動力を送りねじ２４に伝達するフォーカスギヤで、該シャッタ地板１３に形成されたギヤ軸１３ｂに回転可能に嵌合保持され、フォーカス地板１７により保持されている。該フォーカス地板１７は２本のビス１８により該シャッタ地板１３に固定されている。
【００１０】
１９は撮影レンズユニットで、撮影レンズ２０と、該撮影レンズ２０を保持するレンズ保持枠２１と、該レンズ保持枠２１の外周の一部に形成された腕部２１ａに圧入により固定されている円筒状の嵌合メタル２２と、接着により固定されているパルス板２３で構成されている。
２４は該撮影レンズユニット１９を撮影光軸方向に支持するとともに、撮影光軸方向に前後進させる送りねじで、ギヤ２４ａと雄ねじ２４ｂが形成されており、該ギヤ２４ａは前記フォーカスギヤ１６と噛み合い、該雄ねじ２４ｂは該レンズ保持枠２１の外周の腕部２１ａに組み込まれたナット２５の雌ねじ２５ａと噛み合っている。該送りねじ２４は該ギヤ２４ａの先端部に形成された軸２４ｃを前記シャッタ地板１３に形成された穴１３ｃに、また該雄ねじ２４ｂの先端部に形成された軸２４ｄを後記する支持地板２８に形成された穴２８ｂに、それぞれ嵌合させることで、該送りねじ２４が回動可能に支持されるとともに、該撮影レンズユニット１９が前記シャッタユニット１２に支持されている。
【００１１】
２６は前記撮影レンズユニット１９を撮影光軸方向に前後動させる円筒状のモータで、一方が前記フォーカス地板１７に形成された貫通孔１７ａに、他方が後記する支持地板２８に形成された貫通孔１８ａに、それぞれ嵌合させることで、前記シャッタユニット１２に支持されている。該モータ２６の先端部にはピニオンギヤ２６ａが組み込まれ、前記フォーカスギヤ１６と噛み合っている。
２７は該撮影レンズユニット１９を撮影光軸方向に支持するガイド軸で、該レンズ保持枠２１の腕部２１ａと対向する位置に形成された不図示のＵ字状の切欠き部と摺動可能に嵌合している。該ガイド軸２７は、一端が該フォーカス地板１７に形成された穴１７ｂに、他端が後記する支持地板２８に形成された不図示の穴に、それぞれ嵌合して支持されている。
【００１２】
２８は前記撮影レンズユニット１９と、前記モータ２６と、前記ガイド軸２７を支持する支持地板（第２の支持部材）で、前記レンズ保持枠２１が貫通する開口部２８ａが形成されており、３本のビス２９により前記シャッタ地板１３と前記フォーカス地板１７に固定されている。
３０は該撮影レンズユニット１９を撮影光軸方向に支持するガイド軸で、前記嵌合メタル２２と摺動可能に嵌合しており、その一端は該フォーカス地板１７に形成された穴１７ｃに、その他端は後記する調整板３２に形成された貫通穴２２ａに、それぞれ嵌合して支持されている。
３１は該撮影レンズユニット１９を後方に付勢するスプリングで、該レンズ保持枠２１の腕部２１ａと後記する調整板３２との間に配設されている。
３２は該撮影レンズユニット１９の倒れを調整する調整板で、ワッシャー３３を介してビス３４により該支持地板２８に固定されている。
３５は該調整板３２を作動させる２本の調整軸で、該支持地板２８に形成された穴２８ｄと該調整板３２に形成された穴３２ｂに回動可能に嵌合し、該調整板３２により該支持地板２８に保持されている。
【００１３】
以上の構成による本実施例の動作について説明する。
初めに、フォーカス駆動について、簡単に説明する。
モータ２６を通電すると、ピニオンギヤ２６ａが回転し、その回転力はフォーカスギヤ１６を介して送りねじ２４のギヤ２４ａに伝達されて、送りねじ２４が回転する。該送りねじ２４の回転により、撮影レンズユニット１９は送りねじ２４のリードに沿って撮影光軸方向に前後動する。該撮影レンズユニット１９が繰り出す場合、スプリング３１をチャージしながら撮影光軸方向に移動する。
【００１４】
次いで、シャッタ・フォーカスユニット１１の遮光構成について図２ないし図４を用いて詳説する。
図において、３６は伸縮自在な中空円筒状の遮光ゴム筒（遮光部材）で、前記レンズ保持枠２１の外周と前記支持地板２８の開口部２８ａとのすき間から侵入した光線Ｒを遮光するとともに、砂・ゴミ等の小さな異物の侵入を防止する。該遮光ゴム筒３６は図３及び図４に示すようにシャッタ・フォーカスユニット１１の外周に固定されており、このとき、その内径は前記シャッタ地板１３及び該支持地板２８の外径より小さく設定されているため、遮光ゴム筒３６の伸縮力によりシャッタ・フォーカスユニット１１に保持されるようになっている。
【００１５】
さらに、シャッタ・フォーカスユニットが組み込まれた各別のレンズ鏡筒について図５及び図６を用いて説明する。
図５は２群構成、図６は４群構成のレンズ鏡筒である。
まず、図５において、３７は固定筒で、不図示のカメラ本体に固定されており、その内周にはヘリコイドねじ３７ａと２本の直進溝３７ｂが形成され、該ヘリコイドねじ３７ａには第１回転筒３８の後部側に形成されたヘリコイドねじ３８ａが回動可能に噛み合い、内周側に該第１回転筒３８を支持している。また、該２本の直進溝３７ｂには該第１回転筒３８の内周側に嵌合された第１直進筒３９の後端に形成された２本の凸部３９ａが摺動可能に係合している。
すなわち、該第１回転筒３８は、該第１直進筒３９の外周を回動しながら該第１直進筒３９とともに、ヘリコイドねじ３７ａのリードに沿って撮影光軸方向に前後動する。このとき、該第１直進筒３９は該固定筒３７の直進溝３７ｂをガイドに撮影光軸方向に前後動する。
【００１６】
該第１回転筒３８の内周には２本の直進溝３８ｂが形成されており、該第１直進筒３９の内周側に嵌合する第２回転筒４０の後端部に設けられた２本の伝達軸４１が該第１直進筒３９に形成した２本のカム穴３９ｄを貫通して該直進溝３８ｂに摺動可能にそれぞれ係合している。該２本の伝達軸４１は該第１回転筒３８の回動力を該第２回転筒４０に伝達するようになっている。また、該第直進筒３９の内周面には３本のカム溝３９ｂと２本の直進溝３９ｃ及び該カム溝３９ｂと同じリード角を持つ貫通する２本のカム孔３９ｄが形成されており、該カム溝３９ｂには該第２回転筒４０の後端部に設けられた３本のカム軸４２がそれぞれ摺動可能に嵌合することで該第２回転筒４０は該第１回転筒３８に支持されている。また、該直進溝３９ｃには該第２回転筒４０の内周に配置された第２直進筒４３の後端部に形成された２本の凸部４３ａが摺動可能に嵌合している。
【００１７】
すなわち、第１回転筒３８が回動することにより、その回動力は２本の伝達軸４１を介して第２回転筒４０に伝達され、該第２回転筒４０は前記第２直進筒４３の外周を回動しながら、該第２直進筒４３とともに、前記第１直進筒３９の３本のカム溝２９ｂに沿って、撮影光軸方向に前後動する。この時、該第２直進筒４３は該第１直進筒３９の２本の直進溝３９ｃをガイドに撮影光軸方向に前後動する。
【００１８】
また、前記第２回転筒４０の内周には、各群３本ずつのカム溝４０ａ，４０ｂが形成されており、該カム溝４０ａには前記第２直進筒４３の３本の直進孔４３ｂを貫通し、２群レンズ保持枠４４に形成された凸部４４ａに設けられた３本のカム軸４５が摺動可能に嵌合し、このカム軸４５の嵌合により該２群レンズ保持枠４４は該第２回転筒４０に支持されている。さらに、該カム溝４０ｂには鏡筒カバー４６の後端部に設けられた３本のカム軸４７が摺動可能に嵌合しており、このカム軸４７の嵌合により該鏡筒カバー４６は該第２回転筒４０に支持されている。
【００１９】
また、前記第２直進筒４３には、前記貫通する３本の直進孔４３ｂと、その外周に２本の直進溝４３ｃが形成されており、該３本の直進孔４３ｂには前記２群レンズ保持枠４４の凸部４４ａが摺動可能に嵌合しており、該２本の直進溝４３ｃには前記鏡筒カバー４６の内周に形成された２本の凸部４６ａが摺動可能に嵌合している。すなわち、前記第２回転筒４０が回動することにより、該２群レンズ保持枠４４は該第２回転筒４０の３本のかム溝４０ａに沿って該第２直進筒４３の３本の直進孔４３ｂをガイドに撮影光軸方向に前後動するとともに、該鏡筒カバー４６は該第２回転筒４０のカム溝４０ｂに沿って該第２直進筒４３の２本の直進溝４３ｃをガイドに該第２回転筒４０と該第２直進筒４３との間を撮影光軸方向に前後動するようになっている。
さらに、該鏡胴カバー４６には前部側にフランジ部４６ｂが形成され、該フランジ部４６ｂの前方にフランジ部４６ｂに形成された撮影開口部４６ｃを開閉するバリア装置４７が組み込まれており、該フランジ部４６ｂの後面には前記の外周に遮光ゴム筒３６が装着されたシャッタ・フォーカスユニット１１がビスにより固定されている。
【００２０】
次ぎに、図６の４群構成のレンズ鏡筒について説明する。
同図において、５０は固定筒で、不図示のカメラ本体に固定されており、その内周にはヘリコイドねじ５０ａと２本の直進溝５０ｂとヘリコイドねじのリード角と同じリード角を持つ貫通する２本のカム孔５０ｃが形成され、該ヘリコイドねじ５０ａには第２回転筒５１の後部側に形成されたヘリコイドねじ５１ａが回動可能に噛み合い、内周側に該第２回転筒５１を支持している。また、該２本の直進溝５０ｂには該第２回転筒５１の内周側に嵌合された直進筒５２の後端に形成された２本の凸部５２ａが摺動可能に係合している。
５３は第１回転筒で、該固定筒５０の外周に回動可能に嵌合支持されており、その内周には２本の直進溝５３ａが形成され、該２本の直進溝５３ａには該第２回転筒５１の後端に設けられた２本の伝達軸５４が該固定筒５０の２本のカム孔５０ｃを貫通して摺動可能に嵌合している。
【００２１】
すなわち、第１回転筒５３が回動することにより、その回動力は２本の伝達軸５４を介して第２回転筒５１に伝達され、該第２回転筒５１は前記直進筒５２の外周を回動しながら、該直進筒５２とともに、前記固定筒５０のヘリコイドねじ５０ａのリードに沿って撮影光軸方向に前後動する。この時、該直進筒５２は該固定筒５０の２本の直進溝５０ｂをガイドに撮影光軸方向に前後動する。
【００２２】
また、前記第２回転筒５１の内周には、各群３本ずつのカム溝５１ｂ，５１ｃ，５１ｄが形成されており、該カム溝５１ｂには前記直進筒５２の直進孔５２ｂを貫通して４群レンズ保持枠５５に形成された３本のカム軸５５ａが摺動可能に嵌合し、このカム軸５５ａの嵌合により該４群レンズ保持枠５５は該第２回転筒５１に支持されている。さらに、該カム溝５１ｃには直進筒５２の直進孔５２ｂを貫通してシャッタ・フォーカスユニット５６（シャッタ・フォーカスユニット１１に相当する）の後端部に形成された３本のカム軸５６ａが摺動可能に嵌合しており、このカム軸５６ａの嵌合により該シャッタ・フォーカスユニット５６は該第２回転筒５１に支持されている。該カム溝５１ｄには直進筒５２の直進孔５２ｂを貫通して鏡筒カバー５７の後端部部に形成された凸部５７ａに設けた３本のカム軸５８が摺動可能に嵌合しており、この嵌合により該鏡筒カバー５７は該第２回転筒５１に支持されている。また、シャッタ・フォーカスユニット５６の外周には遮光ゴム筒３６が固定されている。
【００２３】
すなわち、前記第２回転筒５１が回動することにより、前記４群レンズ保持枠５５は該第２回転筒５１の３本のカム溝５１ｂに沿って、またシャッタ・フォーカスユニット５６は該第２回転筒５１の３本のカム溝５１ｃに沿って、また該鏡筒カバー５７は該第２回転筒５１の３本のカム溝５１ｄに沿って，前記直進筒５２の直進孔５２ｂをガイドに撮影光軸方向に前後動するようになっている。
さらに、該鏡胴カバー５７には前部側にフランジ部５７ｂが形成され、該フランジ部５７ｂに形成された撮影開口部５７ｃには１群レンズユニット５９が固定され、その先端部には該１群レンズユニット５９を開閉するバリア装置６０が組み込まれている。
【００２４】
以上説明したように、本実施例によれば、シャッタ・フォーカスユニット１１または５６の外周に遮光ゴム筒３６を設けたことにより、レンズ保持枠２１の外周と支持地板２８の開口部２８ａとのすき間から侵入した光線を確実に遮光することができる。また、砂・ゴミ等の小さい異物の侵入を防止することができる。
さらに、遮光ゴム筒３６の内径をシャッタ地板１３及び支持地板２８の外径より小さく設定することにより、シャッタ・フォーカスユニット１１を確実に固定することができるので、ズーム作動不良やフォーカス作動不良を確実に防止することができる。
【００２５】
図７は本発明の第２実施例を示すものである。説明を簡単にするために、前述第１実施例と同一部分には同一符号を付し、相違する点のみを説明する。
図７は本実施例の遮光ゴム筒を固定したシャッタ・フォーカスユニットの断面図である。
本実施例では、シャッタ地板１３及び支持地板２８にそれぞれ向かい合う方向に、装着する遮光ゴム筒３６が外周方向に出張らないように段差部１３ｄ及び２８ｅを外周全周にそれぞれ形成し、その段差部１３ｄ及び２８ｅの間に遮光ゴム筒３６を組み込んだものである。その他の構成は前述第１実施例と同様である。
【００２６】
以上の構成の本実施例は、前述第１実施例と同様に遮光ゴム筒３６の内径をシャッタ地板１３及び支持地板２８の外径より小さく設定するとともに、シャッタ地板１３の段差部１３ｄと支持地板２８の段差部２８ｅの間に遮光ゴム筒３８を固定することにより、シャッタ・フォーカスユニット１１に確実に遮光ゴム筒３８を固定することができるので、遮光ゴム筒３８の端面部の捲れを防止することができるとともに、ズーム作動不良を確実に防止する。
【００２７】
図８は本発明の第３実施例を示すものである。
図８は本実施例の遮光ゴム筒を固定したシャッタ・フォーカスユニットの断面図である。
本実施例では、シャッタ地板１３の前外周全周に周方向の凹部１３ｅを形成し、遮光ゴム筒３６の一側端部に内周全周に該シャッタ地板１３の凹部１３ｅに挿入される凸部３６ａを形成したものである。その他の構成は前述第１実施例と同様である。
【００２８】
以上の構成の本実施例は、前述第１実施例と同様に遮光ゴム筒３６の内径をシャッタ地板１３及び支持地板２８の外径より小さく設定するとともに、遮光ゴム筒３６を装着するときはその凸部３６ａをシャッタ地板１３の凹部１３ｅに挿入して装着することにより、遮光ゴム筒３６をシャッタ・フォーカスユニット１１に確実に固定することができるので、遮光ゴム筒３６の端面部の捲れを防止することができるとともに、ズーム作動不良を確実に防止する。
なお、本実施例ではシャッタ地板１３の外周全周に凹部１３ｅを形成しているが、支持地板２８の外周全周に凹部を形成して、その凹部に遮光ゴム筒３６の凸部３６ａを挿入して固定してもよい。
【００２９】
図９は本発明の第４実施例を示すものである。
図９は本実施例の遮光ゴム筒を固定したシャッタ・フォーカスユニットの断面図である。
本実施例では、シャッタ地板１３及び支持地板２８の前外周全周に、周方向の凹部１３ｅ及び３８ｆをそれぞれ形成し、遮光ゴム筒３６の両側端部の内周全周に該支持地板２８の凹部２８ｆ及びシャッタ地板１３の凹部１３ｅにそれぞれ挿入される凸部３６ａ及び３６ｂを形成したものである。その他の構成は前述第１実施例と同様である。
【００３０】
以上の構成の本実施例は、前述第１実施例と同様に遮光ゴム筒３６の内径をシャッタ地板１３及び支持地板２８の外径より小さく設定するとともに、遮光ゴム筒３６を装着するときはその凸部３６ｂ及び３６ａを，それぞれシャッタ地板１３の凹部１３ｅ及び支持地板２８の凹部２８ｆに挿入して装着することにより、遮光ゴム筒３６をシャッタ・フォーカスユニット１１に確実に固定することができるので、遮光ゴム筒３６の端面部の捲れを防止することができるとともに、ズーム作動不良を確実に防止する。
【００３１】
【発明の効果】
以上説明したように、請求項１に示す本発明は、レンズ鏡筒内に配置され、撮影開口部が形成された第１の支持部材と、レンズ保持枠の外周との間にすき間を有する第２の支持部材とを撮影光軸前後に有し、撮影光軸方向に前後動する遮光装置であって、遮光性及び伸縮力を有し前記第１の支持部材と前記第２の支持部材それぞれの外径より小さい内径の遮光部材が当該伸縮力により前記第１、第２の支持部材の外周に保持されるよう設けられていることにより、レンズ鏡筒径を大型化させることなく、侵入した光線を確実に遮光でき、砂、ゴミ等の小さな異物がレンズ鏡筒ユニット内及びカメラ本体内部に侵入することを防止できる。
【図面の簡単な説明】
【図１】本発明に係る第１実施例のシャッタ・フォーカスユニットの分解斜視図である。
【図２】そのシャッタ・フォーカスユニットとその遮光ゴム筒の分解斜視図である。
【図３】遮光ゴム筒を組み込んだ状態のシャッタ・フォーカスユニットの斜視図である。
【図４】同じく、その縦断面図である。
【図５】そのシャッタ・フォーカスユニットを組み込んだ第１のレンズ鏡筒の縦断面図である。
【図６】そのシャッタ・フォーカスユニットを組み込んだ第２のレンズ鏡筒の縦断面図である。
【図７】本発明の第２実施例の遮光ゴム筒の固定方法を示すシャッタ・フォーカスユニットの縦断面図である。
【図８】本発明の第３実施例の遮光ゴム筒の固定方法を示すシャッタ・フォーカスユニットの縦断面図である。
【図９】本発明の第４実施例の遮光ゴム筒の固定方法を示すシャッタ・フォーカスユニットの縦断面図である。
【図１０】従来例のレンズ鏡筒における光線侵入経路を示す縦断面図である。
【図１１】従来例のシャッタ・フォーカスユニットの遮光構成を示す分解斜視図である。
【図１２】同じく、遮光シートを組み込んだシャッタ・フォーカスユニットの斜視図である。
【符号の説明】
１１，５６・・シャッタ・フォーカスユニット、１２・・シャッタユニット、１３・・シャッタ地板（第１の支持部材）、１３ｄ・・段差部、１３ｅ・・凹部、１７・・フォーカス地板、１９・・撮影レンズユニット、２１・・レンズ保持枠、２８・・支持地板（第２の支持部材）、２８ａ・・撮影開口部、２８ｅ・・段差部、２８ｆ・・凹部、３６・・遮光ゴム筒（遮光部材）、３６ａ，３６ｂ・・凸部、４３・・第２直進筒、４７・・鏡筒カバー。
【図１】
0004208313.tif 000002
【図２】
0004208313.tif 000003
【図３】
0004208313.tif 000004
【図４】
0004208313.tif 000005
【図５】
0004208313.tif 000006
【図６】
0004208313.tif 000007
【図７】
0004208313.tif 000008
【図８】
0004208313.tif 000009
【図９】
0004208313.tif 000010
【図１０】
0004208313.tif 000011
【図１１】
0004208313.tif 000012
【図１２】
0004208313.tif 000013